(57)【要約】【課題】本考案は通水状態にある、配水管の分水栓を取替える際に使用する、断水器に平行２点支持式抜け止金具を用いて、分水栓交換作業の安全、確実性を高める。【解決手段】本考案は分水栓交換器の断水器の先端にＬ型に加工された抜け止金具１ａと丸棒を加工した、押し上げ棒１ｂをピンで連結し、さらにその下端にネジで上下動する操作棒２を同じくピンで連結したもので、操作棒２を回転させると、ピンで連結された部分が図６で示すように可動し、抜け止金具１が、開く仕組みとなっている。この状態で、抜け止金具１を管内上面に平行方向に２点接触させた状態を保持しながら、締付ネジ棒４で、止水ゴムを分水孔に、密着させて断水を行う事で安全、確実な．分水栓交換作業に役立つ。【選択図】図１
0003121871.tif 000002
【実用新案登録請求の範囲】
【請求項１】
分水栓交換器の断水器に、偏心して取り付けた、２枚のＬ型金具に２本の棒状の金具を連結し、さらにネジで上下動する操作棒を連結して、その、上下動によって金具が可動し開閉する構造の抜け止金具を配水管内面平行方向に２点を接触させ、断水器の抜け止とする装置で、確実な抜け止金具の開閉と偏心して取り付けたＬ型金具による管内接触面の強化、及び止水ゴムの適正位置作用を特徴とする分水栓交換器の平行２点支持式抜け止断水器。
【考案の詳細な説明】
【技術分野】
【０００１】本考案は通水状態において配水管に設置された、分水栓を老朽化等で、取替える際に使用する。分水栓交換器の断水器の抜け止装置に関するものである。
【背景技術】
【０００２】従来の分水栓交換器の断水器の抜け止装置は４分割された、円形の板に円錐形の金具を直接、押し当て、花びら状に広げて、抜け止装置としているため。抜け止装置が、作用した際の管内面との接触面が少ない。又、止水ゴム挿入位置は、ゲ−ジにより確認している。図５
【考案の開示】
【考案が解決しようとする課題】
【０００３】この方式では、通常使用の状態において抜け止部分が、管内面と接触していないため、抜け止装置は、あくまでも管内からの水圧による、断水器の飛び抜け防止のみに、有効であり、抜け止装置が管内面に接触して、作用した状態では止水出来ない。又、抜け止装置を閉じる際は、ゴムリングの復元力のみで、閉じる仕組みになっているので、確実性が低く復元状態の確認が出来ない上、復元が不十分な状態で断水器を引き上げると、金具が破損、脱落することがある。図５
【課題を解決するための手段】
【０００４】そこで本考案は分水栓交換器の断水器の先端に、Ｌ型に加工された抜け止金具１ａと丸棒を加工した、押し上げ棒１ｂをピンで連結し、さらにその下端にネジで上下動する操作棒２を同じくピンで連結したもので、操作棒２を回転させると、ピンで連結された部分が図６で示すように可動し、抜け止金具１が、開く仕組みとなっている。この状態で、抜け止金具１を管内上面に平行方向に２点接触させた状態を保持しながら、締付ネジ棒４で、止水ゴムを分水孔に、密着させて断水を行う事で従来の問題点を解決している。図６、７【０００５】本考案は、抜け止金具が、当初から接触状態となり作用しているため、水圧による、衝撃に安定した強度が得られる。又、止水ゴムが適正な位置で、密着されるように抜け止金具は、断水器の先端部に偏心させて連結された、左右の抜け止金具が干渉しないようになっているため、抜け止金具の懐部を多くとる事が出来、止水ゴムの位置合せが、不要となる。又、分水栓撤去後、新たに分水栓を設置して、断水器を引き上げる際も、抜け止金具が操作棒２により確実に閉じるため、分水孔内面と干渉することなく、引き上げる事が出来る。
【考案の効果】
【０００６】本考案の平行２点支持式抜け止断水器は、抜け止の管内接触部を多くとる事が出来、止水ゴムも確実に作用するため、飛び抜けに対する強度が向上し、作業の安全単純化が図れる。
【考案を実施するための最良の形態】
【０００７】配水管に設置された分水栓に、本断水器と分水栓交換器ガイド部を組み合わせたものを取り付け、本断水器の抜け止金具固定棒の切欠きを配水管平行方向に合わせ、本断水器を挿入し、本断水器の抜け止金具操作棒を左に止るまで回転させて、抜け止金具を開く、次に先に述べた固定棒の切欠きに支持用スパナを差し込み、支持用スパナを配水管平行方向に保持しながら、固定棒を引き上げ抜け止金具を管内上面に接触させる。接触させた状態で、本断水器の締付ネジ棒を回転させて、止水ゴムを分水孔に密着させると、断水作業は完了する。【０００８】本断水器の使用条件として、開閉コック式サドル型分水栓、配水管内径４０ｍｍ以上、配水管厚１５ｍｍ以内、分水孔２０ｍｍとする。本断水器の材質は、抜け止金具、抜け止金具固定棒、抜け止金具操作棒はステンレス鋼が望ましく、その他は黄銅でもよい。
【実施例】
【０００９】以下、添付図面に従って実施例を説明する。８は筒形状をした分水栓交換器のガイド部でこれには分水栓と同径の内ネジ加工がされている。このガイド部に、抜け止金具１、抜け止金具操作棒２、抜け止金具固定棒３、締付ネジ棒４で構成された、本断水器、図４を挿入して組み合わせ、交換する分水栓１２に取り付ける。次に、分水栓１２の開閉コックを開に回し、抜け止金具固定棒３を押して、分水栓１２、配水管１３内に挿入する。このとき、締付ネジ棒４に刻まれた、目盛がガイド部８に隠れないように注意する。これは本断水器の過挿入を防止するためである。続いて、抜け止金具固定棒３の切欠き部に支持スパナ５を差込、支持スパナ５を配水管平行方向に合わせ保持しながら、抜け止金具操作棒２にハンドル６を取付け、左に止るまで回転させて抜け止金具１を開いて、支持スパナ５を上方に引き上げ、抜け止金具１を配水管１３内上面に接触させる。この接触した状態を保持しながら、締付ネジ棒４をハンドル７で締付けて止水ゴムを分水孔に密着させて、断水作業が完了する。図１、２【００１０】断水作業完了後は、支持スパナ５、ハンドル６、ハンドル７、図４の順に取り外し、ガイド部８を分水栓から取り外して、分水栓を撤去する。図３、この状態で新しい分水栓を接置し、ガイド部８を取付け、締付ネジ棒４をハンドル７で緩めて、止水ゴムを復元する。この後、逆の手順で本断水器を取外して、分水栓の交換が完了する。
【図面の簡単な説明】
【００１１】
【図１】本考案の分水栓交換器の平行２点支持式抜け止断水器の実施例を示す正面図である。
【図２】本断水器の抜け止金具が作用した状態の断面図である。
【図３】既設分水栓を撤去した状態の配水管の断面図である。
【図４】本断水器及び付属するハンドル等の平面、正面図である。
【図５】従来の分水栓交換器の断水器の使用状態を示す正面図である。
【図６】本断水器の配水管内での抜け止金具の動作を示す詳細、断面図である。
【図７】本断水器の配水管内での抜け止金具の作用状態を示す詳細、断面図である。
【符号の説明】
【００１２】１  抜け止金具  ａ抜け止金具Ｌ型  ｂ押し上げ棒
２  抜け止金具操作棒
３  抜け止金具固定棒
４  締付ネジ棒
５  支持スパナ
６  ハンドル  抜け止金具操作棒用
７  ハンドル  締付ネジ棒用
８  分水栓交換器のガイド部
１２  分水栓
１３  配水管
【図１】
0003121871.tif 000003
【図２】
0003121871.tif 000004
【図３】
0003121871.tif 000005
【図４】
0003121871.tif 000006
【図５】
0003121871.tif 000007
【図６】
0003121871.tif 000008
【図７】
0003121871.tif 000009